(57)【要約】【課題】偏光素子の熱の光変調装置への影響を低減させることができる光学装置の提供。【解決手段】光学装置本体４５Ａは、光変調装置４５１Ｇと、射出側偏光板４５３Ｇと、クロスダイクロイックプリズム４５４と、第１支持部材４５５と、第２支持部材４５７と、２つのスペーサ４５８と、板状部材４５９とを備える。第１支持部材４５５、及び第２支持部材４５７は、光変調装置４５１Ｇを支持する。各スペーサ４５８は、射出側偏光板４５３Ｇを支持する。第２支持部材４５７、及び各スペーサ４５８は、クロスダイクロイックプリズム４５４の光入射側端面４５４Ａに板状部材４５９を介して固定され、互いに非接触とされている。【選択図】図２
2009210779.tif 000002
【特許請求の範囲】
【請求項１】
複数の色光を色光毎に画像情報に応じて変調する複数の光変調装置と、前記各光変調装置に対向する複数の光入射側端面を有し前記各光変調装置にて変調された光を合成して画像光を形成する色合成光学装置と、前記光変調装置、及び前記色合成光学装置の間に配設され、前記光変調装置にて変調された光のうち所定の偏光方向を有する光のみを透過する偏光素子とを備える光学装置であって、
前記光変調装置を支持する光変調装置用支持部材と、
前記偏光素子を支持する偏光素子用支持部材とを備え、
前記光変調装置用支持部材、及び前記偏光素子用支持部材は、前記光入射側端面にそれぞれ固定され、互いに非接触とされていることを特徴とする光学装置。
【請求項２】
請求項１に記載の光学装置において、
前記光変調装置、及び前記偏光素子の間には、前記偏光素子からの熱伝達を遮る遮熱板が配設されていることを特徴とする光学装置。
【請求項３】
請求項２に記載の光学装置において、
前記光変調装置用支持部材は、
前記光変調装置側に配設され、前記光変調装置を支持する第１支持部材と、
前記色合成光学装置側に配設され、前記遮熱板を支持する第２支持部材とを組み合わせて構成されることを特徴とする光学装置。
【請求項４】
請求項３に記載の光学装置において、
前記遮熱板は、前記第２支持部材と比較して小さい熱伝導率を有していることを特徴とする光学装置。
【請求項５】
請求項２から請求項４のいずれかに記載の光学装置において、
前記遮熱板は、前記光変調装置側、及び前記偏光素子側の少なくともいずれかの面に反射防止膜が施されていることを特徴とする光学装置。
【請求項６】
請求項１から請求項５のいずれかに記載の光学装置において、
前記光変調装置用支持部材、及び前記偏光素子用支持部材と、前記光入射側端面との間に介在配置される板状部材を備えることを特徴とする光学装置。
【請求項７】
光源装置と、請求項１から請求項６のいずれかに記載の光学装置と、前記光学装置にて形成された画像光を拡大投射する投射光学装置とを備えていることを特徴とするプロジェクタ。
【発明の詳細な説明】
【技術分野】
【０００１】
本発明は、光学装置、およびプロジェクタに関する。
【背景技術】
【０００２】
従来、複数の色光を色光毎に画像情報に応じて変調する３つの液晶パネル（光変調装置）と、各液晶パネルにて変調された光を合成して画像光を形成するクロスダイクロイックプリズム（色合成光学装置）とを備える光学装置、及びこの光学装置を備えるプロジェクタが知られている。
このような光学装置では、クロスダイクロイックプリズムに液晶パネルを一体に組み付けて、組立性の向上を図っている（例えば、特許文献１参照）。
特許文献１に記載の光学装置では、クロスダイクロイックプリズム、及び液晶パネルの間に配設され、液晶パネルにて変調された光のうち所定の偏光方向を有する光のみを透過する偏光板（偏光素子）を支持しつつ、液晶パネルをクロスダイクロイックプリズムの光入射側端面に固定する保持部材を備えている。
【０００３】
【特許文献１】特開２００３−１２１９３１号公報
【発明の開示】
【発明が解決しようとする課題】
【０００４】
しかしながら、このような構成によると、液晶パネル、クロスダイクロイックプリズム、及び偏光板が保持部材により一体化されているので、偏光板の熱が保持部材を介して液晶パネルに伝わり、液晶パネルの温度が動作温度範囲を超えてしまう等の問題がある。
特に、偏光板として無機偏光板を用いる場合には、有機偏光板と比較して耐熱性が高く、高温下でも利用可能であるが、発熱量が大きいので、偏光板の熱が液晶パネルに与える影響が顕著である。
【０００５】
本発明の目的は、偏光素子の熱の光変調装置への影響を低減させることができる光学装置、及びプロジェクタを提供することにある。
【課題を解決するための手段】
【０００６】
本発明の光学装置は、複数の色光を色光毎に画像情報に応じて変調する複数の光変調装置と、前記各光変調装置に対向する複数の光入射側端面を有し前記各光変調装置にて変調された光を合成して画像光を形成する色合成光学装置と、前記光変調装置、及び前記色合成光学装置の間に配設され、前記光変調装置にて変調された光のうち所定の偏光方向を有する光のみを透過する偏光素子とを備える光学装置であって、前記光変調装置を支持する光変調装置用支持部材と、前記偏光素子を支持する偏光素子用支持部材とを備え、前記光変調装置用支持部材、及び前記偏光素子用支持部材は、前記光入射側端面にそれぞれ固定され、互いに非接触とされていることを特徴とする。
【０００７】
このような構成によれば、光変調装置を支持する光変調装置用支持部材、及び偏光素子を支持する偏光素子用支持部材は独立した部材とされ、各支持部材は、色合成光学装置の光入射側端面にそれぞれ固定されている。さらに、各支持部材は、非接触とされているので、偏光素子の熱は、偏光素子用支持部材から色合成光学装置、及び光変調装置用支持部材を介して光変調装置に伝わることとなるので、偏光素子の熱の光変調装置への影響を低減させることができる。したがって、光学装置の長寿命化を図ることができる。
【０００８】
本発明では、前記光変調装置、及び前記偏光素子の間には、前記偏光素子からの熱伝達を遮る遮熱板が配設されていることが好ましい。
【０００９】
ここで、偏光素子の熱は、前述したように、各支持部材、及び色合成光学装置を介して光変調装置に伝わる他、偏光素子の輻射熱、及び偏光素子と光変調装置との間の空気の対流によっても伝わる。
しかしながら、本発明によれば、光変調装置、及び偏光素子の間には、遮熱板が配設されているので、偏光素子からの熱伝達を遮ることができ、偏光素子の熱の光変調装置への影響を更に低減させることができる。
【００１０】
本発明では、前記光変調装置用支持部材は、前記光変調装置側に配設され、前記光変調装置を支持する第１支持部材と、前記色合成光学装置側に配設され、前記遮熱板を支持する第２支持部材とを組み合わせて構成されることが好ましい。
【００１１】
ここで、遮熱板は、偏光素子からの熱伝達を遮ることで発熱する。
本発明によれば、光変調装置を支持する第１支持部材、及び遮熱板を支持する第２支持部材は独立した部材とされているので、１つの部材で光変調装置、及び遮熱板を支持する場合と比較して遮熱板の熱の光変調装置への影響を低減させることができる。
【００１２】
本発明では、前記遮熱板は、前記第２支持部材と比較して小さい熱伝導率を有していることが好ましい。
このような構成によれば、遮熱板から第２支持部材に熱が伝わりにくくなるので、遮熱板の熱の光変調装置への影響を更に低減させることができる。
【００１３】
本発明では、前記遮熱板は、前記光変調装置側、及び前記偏光素子側の少なくともいずれかの面に反射防止膜が施されていることが好ましい。
このような構成によれば、遮熱板における光の透過率を反射防止膜により向上させることができるので、遮熱板を光変調装置、及び偏光素子の間に配設することによる光学的な影響を低減させることができる。
【００１４】
本発明では、前記光変調装置用支持部材、及び前記偏光素子用支持部材と、前記光入射側端面との間に介在配置される板状部材を備えることが好ましい。
【００１５】
ここで、光変調装置用支持部材、及び偏光素子用支持部材を光入射側端面に直接固定すると、偏光素子の熱が偏光素子用支持部材を介して色合成光学装置に伝わり、例えば、光変調装置用支持部材、及び偏光素子用支持部材と、色合成光学装置とを固定するための接着剤が剥がれ、画像光において画素のずれが起こる等の問題がある。
しかしながら、本発明によれば、光変調装置用支持部材、及び偏光素子用支持部材は、板状部材を介して光入射側端面に固定されるので、偏光素子の熱の色合成光学装置への影響を低減させることができる。
【００１６】
本発明のプロジェクタは、光源装置と、上述した光学装置と、前記光学装置にて形成された画像光を拡大投射する投射光学装置とを備えていることを特徴とする。
本発明では、プロジェクタは、上述した光学装置を備えているので、上述した光学装置と同様の作用および効果を享受できる。
【発明を実施するための最良の形態】
【００１７】
以下、本発明の一実施形態を図面に基づいて説明する。
〔プロジェクタの構成〕
図１は、プロジェクタ１の概略構成を示す模式図である。
プロジェクタ１は、光源から射出される光を画像情報に応じて変調してカラー画像（画像光）を形成し、このカラー画像をスクリーン等の投射面（図示略）上に拡大投射する。このプロジェクタ１は、図１に示すように、略直方体状の外装筐体２と、投射レンズ３と、光学ユニット４等を備える。
投射光学装置としての投射レンズ３は、複数のレンズを組み合わせた組レンズとして構成され、後述する光学ユニット４にて形成されたカラー画像をスクリーン等の投射面上に拡大投射する。
【００１８】
なお、図１において、具体的な図示は省略したが、外装筐体２内における投射レンズ３、及び光学ユニット４以外の空間には、プロジェクタ１内部の各構成部材を冷却する冷却ファン等を備えた冷却ユニット、プロジェクタ１内部の各構成部材に電力を供給する電源ユニット、及びプロジェクタ１内部の各構成部材を制御する制御ユニット等が配置されている。
【００１９】
光学ユニット４は、前述した制御ユニットによる制御の下、光源から射出された光を光学的に処理することで画像情報に応じたカラー画像を形成するユニットである。この光学ユニット４は、光源装置４１と、照明光学装置４２と、色分離光学装置４３と、リレー光学装置４４と、光学装置４５と、これら各光学部品４１〜４５を内部に設定された照明光軸Ａに対する所定位置に配置する光学部品用筐体４６とを備える。
光源装置４１は、光を射出する光源ランプ４１１と、光源ランプ４１１から射出される光の射出方向を揃えるリフレクタ４１２とを備える。そして、リフレクタ４１２にて射出方向が揃えられた光は、照明光学装置４２に向けて射出される。
【００２０】
照明光学装置４２は、第１レンズアレイ４２１、第２レンズアレイ４２２、偏光変換素子４２３、及び重畳レンズ４２４を備える。そして、光源装置４１から射出された光は、第１レンズアレイ４２１によって複数の部分光に分割され、第２レンズアレイ４２２の近傍で結像する。第２レンズアレイ４２２から射出された各部分光は、その中心軸（主光線）が偏光変換素子４２３の入射面に垂直となるように入射し、偏光変換素子４２３にて略１種類の直線偏光として射出される。偏光変換素子４２３から直線偏光として射出され、重畳レンズ４２４を介した複数の部分光は、光学装置４５の後述する３つの光変調装置４５１上で重畳する。
【００２１】
色分離光学装置４３は、２つのダイクロイックミラー４３１，４３２、及び反射ミラー４３３を備え、照明光学装置４２から射出された複数の部分光を赤、緑、青の３色の色光に分離する機能を有する。
リレー光学装置４４は、入射側レンズ４４１、リレーレンズ４４３、及び反射ミラー４４２，４４４を備え、色分離光学装置４３にて分離された色光、例えば、赤色光を光学装置４５の後述する赤色光側の光変調装置４５１Ｒまで導く機能を有する。
【００２２】
光学装置４５は、入射した光を画像情報に応じて変調してカラー画像を形成するものである。この光学装置４５は、３つの光変調装置４５１（赤色光側の光変調装置を４５１Ｒ、緑色光側の光変調装置を４５１Ｇ、青色光側の光変調装置を４５１Ｂとする）と、各光変調装置４５１の光路前段側に配置される入射側偏光板４５２と、各光変調装置４５１の光路後段側に配置される射出側偏光板４５３と、色合成光学装置としてのクロスダイクロイックプリズム４５４とを備える。そして、これら各部材４５１〜４５４のうち、各光変調装置４５１、各射出側偏光板４５３、及びクロスダイクロイックプリズム４５４が一体化されて光学装置本体４５Ａを構成する（図２参照）。なお、光学装置本体４５Ａの具体的な構成については後述する。
【００２３】
各入射側偏光板４５２は、偏光変換素子４２３で揃えられた偏光方向と略同一の偏光方向を有する光のみ透過させ、その他の光を吸収するものであり、透光性基板上に偏光膜が貼付されて構成されている。
各光変調装置４５１は、一対の透明なガラス基板に電気光学物質である液晶が密閉封入された構成を有し、前述した制御ユニットからの駆動信号によって液晶の配向状態が制御されることで入射側偏光板４５２から射出された光の偏光方向を変調する。
偏光素子としての各射出側偏光板４５３は、入射側偏光板４５２と略同様の機能を有し、光変調装置４５１にて変調された光のうち、一定の偏光方向を有する光を透過し、その他の光を吸収する。
【００２４】
ここで、本実施形態では、緑色光の波長域にスペクトルのピークを有する光源ランプ４１１を採用しているので、光変調装置４５１Ｇの光路後段側に配置される射出側偏光板４５３Ｇに耐熱性の高い光吸収型のワイヤーグリッド偏光板（無機偏光板）を採用し、光変調装置４５１Ｒ，４５１Ｂの光路後段側に配置される射出側偏光板４５３Ｒ，４５３Ｂに各入射側偏光板４５２と略同様の構成を有する有機偏光板を採用している。
しかしながら、無機偏光板は、有機偏光板と比較して高温下で利用可能であるが、発熱量が大きいので、光変調装置４５１Ｇ、及び射出側偏光板４５３Ｇをクロスダイクロイックプリズム４５４の光入射側端面４５４Ａ（図２参照）に固定する際に本発明を適用している。
【００２５】
クロスダイクロイックプリズム４５４は、各射出側偏光板４５３から射出された各色光を合成してカラー画像を形成する。このクロスダイクロイックプリズム４５４は、４つの直角プリズムを貼り合わせた平面視略正方形状をなし、直角プリズム同士を貼り合わせた界面には、２つの誘電体多層膜が形成されている。これらの誘電体多層膜は、光変調装置４５１Ｇから射出され射出側偏光板４５３を介した色光を透過し、光変調装置４５１Ｒ，４５１Ｂから射出され射出側偏光板４５３を介した各色光を反射する。このようにして、各色光が合成されてカラー画像が形成される。そして、クロスダイクロイックプリズム４５４で形成されたカラー画像は、前述した投射レンズ３にて拡大投射される。
【００２６】
〔光学装置本体の構成〕
図２は、光学装置本体４５Ａの概略構成を示す分解斜視図である。なお、図２においては、本発明の適用によりクロスダイクロイックプリズム４５４の光入射側端面４５４Ａに固定される光変調装置４５１Ｇ、及び射出側偏光板４５３Ｇを分解し、各光変調装置４５１Ｒ，４５１Ｂの図示を省略している。
光学装置本体４５Ａは、前述した各光変調装置４５１、各射出側偏光板４５３、およびクロスダイクロイックプリズム４５４の他、図２に示すように、光変調装置用支持部材を構成する第１支持部材４５５、及び第２支持部材４５７と、遮熱板４５６と、２つのスペーサ４５８と、板状部材４５９と、支持構造体４６０とを備え、各部材４５１，４５３〜４６０が一体化されたものである。
ここで、各射出側偏光板４５３Ｒ，４５３Ｂは、クロスダイクロイックプリズム４５４の各光束入射側端面にそれぞれ接着剤等により固定される。
【００２７】
第１支持部材４５５は、光変調装置４５１Ｇを支持する金属製の部材であり、略中央部分に光変調装置４５１Ｇにて変調された光を通過させるための開口４５５Ａを有する矩形枠状に形成されている。光変調装置４５１Ｇは、この第１支持部材４５５におけるクロスダイクロイックプリズム４５４とは反対側の面に接着剤、ねじ等により固定される。
また、第１支持部材４５５には、第２支持部材４５７の後述する４つのピン４５７４を挿通するための略矩形状の挿通孔４５５１が四隅位置にそれぞれ形成されている。さらに、第１支持部材４５５には、クロスダイクロイックプリズム４５４側に向かって突出する突出部４５５２が開口４５５Ａにおける四隅の近傍位置にそれぞれ形成されている。なお、各突出部４５５２の突出量は、照明光軸Ａ（図１参照）方向における遮熱板４５６の厚さより大きく設定されている。
【００２８】
遮熱板４５６は、略矩形板状のガラス製の部材であり、光変調装置４５１Ｇ、及び射出側偏光板４５３Ｇの間に配設され、射出側偏光板４５３Ｇからの熱伝達を遮る。すなわち、遮熱板４５６は、射出側偏光板４５３Ｇの輻射熱を遮熱するとともに、射出側偏光板４５３Ｇの周囲の空気の対流により、光変調装置４５１Ｇへ熱が伝わることも低減する。また、遮熱板４５６の両面には、反射防止膜が施されている。なお、遮熱板４５６の熱伝導率は、第２支持部材４５７の熱伝導率と比較して小さい。
【００２９】
第２支持部材４５７は、遮熱板４５６を支持する金属製の部材であり、略中央部分に光変調装置４５１Ｇにて変調された光を通過させるための開口４５７Ａを有する矩形枠状に形成されている。この第２支持部材４５７は、開口４５７Ａにおける図２中左右側に位置する支持部４５７１と、各支持部４５７１における上下側に位置する当接部４５７２と、開口４５７Ａにおける上下側に位置する固定部４５７３と、各固定部４５７３における左右方向の両端から光変調装置４５１Ｇ側に向かって突出するピン４５７４とで構成されている。
【００３０】
各支持部４５７１は、遮熱板４５６を支持する支持面４５７１Ａを有する部分であり、遮熱板４５６は、接着剤等によって支持面４５７１Ａに固定される。なお、各支持部４５７１の上下方向における長さは、射出側偏光板４５３Ｇの上下方向における長さより長く設定されている。
各当接部４５７２は、第１支持部材４５５の突出部４５５２と対向する位置に形成され、第１支持部材４５５、及び第２支持部材４５７が組み合わされた状態で突出部４５５２と当接する部分である。
【００３１】
各固定部４５７３は、板状部材４５９に接着剤等を介して固定される固定面４５７３Ａを有する部分であり、各支持部４５７１、及び各当接部４５７２に対してクロスダイクロイックプリズム４５４側に突出した位置に形成されている。なお、各固定部４５７３の各支持部４５７１からの突出量は、照明光軸Ａ方向における射出側偏光板４５３Ｇ、及びスペーサ４５８の厚さの合計より大きく設定されている。
【００３２】
各ピン４５７４は、第１支持部材４５５の挿通孔４５５１に対応する位置に形成され、第１支持部材４５５、及び第２支持部材４５７を組み合わせる際に各挿通孔４５５１にそれぞれ挿通される部分である。すなわち、第１支持部材４５５、及び第２支持部材４５７は、各ピン４５７４が挿通孔４５５１に挿通され、接着剤等によって固定されることで組み合わされる。
ここで、前述したように、第１支持部材４５５の各突出部４５５２の突出量は、照明光軸Ａ方向における遮熱板４５６の厚さより大きく設定されているので、第１支持部材４５５、及び第２支持部材４５７を組み合わせた状態において、第１支持部材４５５と、遮熱板４５６は互いに非接触となる。
【００３３】
偏光素子用支持部材としての各スペーサ４５８は、断面矩形の角柱状に形成され、射出側偏光板４５３Ｇを支持する樹脂製の部材である。射出側偏光板４５３Ｇは、各スペーサ４５８の第２支持部材４５７側の面に接着剤等によって固定される。なお、各スペーサ４５８の上下方向の長さは、射出側偏光板４５３Ｇの上下方向の長さより短い長さに設定されている。
【００３４】
板状部材４５９は、第２支持部材４５７、及び各スペーサ４５８と、光入射側端面４５４Ａとの間に介在配置される矩形板状の部材であり、第２支持部材４５７、及び各スペーサ４５８は、板状部材４５９の光変調装置４５１Ｇ側の面に接着剤等によってそれぞれ固定される。そして、板状部材４５９のクロスダイクロイックプリズム４５４側の面は、光入射側端面４５４Ａに接着剤等によって固定される。
【００３５】
ここで、前述したように、第２支持部材４５７の各支持部４５７１の上下方向における長さは、射出側偏光板４５３Ｇの上下方向における長さより長く設定され、各固定部４５７３の突出量は、照明光軸Ａ方向における射出側偏光板４５３Ｇ、及びスペーサ４５８の厚さの合計より大きく設定されているので、第２支持部材４５７、及び各スペーサ４５８が板状部材４５９に固定された状態において、第２支持部材４５７と、射出側偏光板４５３Ｇ、及び各スペーサ４５８は互いに非接触となる。
【００３６】
支持構造体４６０は、クロスダイクロイックプリズム４５４の各光束入射側端面に交差する端面である上面に取り付けられ、光学装置本体４５Ａ全体を支持する部材である。
この支持構造体４６０には、四隅角部分から外側に向けて延出し、光学部品用筐体４６に接続する腕部４６０１が形成されている。そして、腕部４６０１を光学部品用筐体４６に接続することで、光学装置本体４５Ａ全体が光学部品用筐体４６に固定される。
【００３７】
以上のような本実施形態によれば、以下の効果がある。
（１）光学装置本体４５Ａでは、光変調装置４５１Ｇを支持する第１支持部材４５５、及び第２支持部材４５７と、射出側偏光板４５３Ｇを支持する各スペーサ４５８は独立した部材とされ、各支持部材４５５，４５７，４５８は、クロスダイクロイックプリズム４５４の光入射側端面４５４Ａにそれぞれ固定されている。さらに、各支持部材４５５，４５７，４５８は、非接触とされているので、射出側偏光板４５３Ｇの熱は、各スペーサ４５８から板状部材４５９、第２支持部材４５７、及び第１支持部材４５５を介して光変調装置４５１Ｇに伝わることとなるので、射出側偏光板４５３Ｇの熱の光変調装置４５１Ｇへの影響を低減させることができる。したがって、光学装置の長寿命化を図ることができる。
【００３８】
（２）光学装置本体４５Ａでは、光変調装置４５１Ｇ、及び射出側偏光板４５３Ｇの間に、射出側偏光板４５３Ｇの輻射熱を遮熱する遮熱板４５６が配設されているので、射出側偏光板４５３Ｇの輻射熱を遮熱することができる。さらに、遮熱板４５６を配設することにより、射出側偏光板４５３Ｇの周囲の空気の対流により、光変調装置４５１Ｇへ熱が伝わることも低減することができる。よって、射出側偏光板４５３Ｇの熱の光変調装置４５１Ｇへの影響を更に低減させることができる。
（３）光学装置本体４５Ａでは、光変調装置４５１Ｇを支持する第１支持部材４５５、及び遮熱板４５６を支持する第２支持部材４５７は独立した部材とされているので、遮熱板４５６の熱の光変調装置４５１Ｇへの影響を低減させることができる。
（４）光学装置本体４５Ａでは、遮熱板４５６は、第２支持部材４５７と比較して小さい熱伝導率を有しているので、遮熱板４５６から第２支持部材４５７に熱が伝わりにくくなり、遮熱板４５６の熱の光変調装置４５１Ｇへの影響を更に低減させることができる。
【００３９】
（５）光学装置本体４５Ａでは、遮熱板４５６の両面に反射防止膜が施されているので、遮熱板４５６における光の透過率を向上させることができ、遮熱板４５６を光変調装置４５１Ｇ、及び射出側偏光板４５３Ｇの間に配設することによる光学的な影響を低減させることができる。また、反射防止膜は、遮熱板４５６の両面に施されているので、片面に施した場合と比較して高い効果を得ることができる。
（６）光学装置本体４５Ａでは、第２支持部材４５７、及び各スペーサ４５８は、板状部材４５９を介して光入射側端面４５４Ａに固定されるので、射出側偏光板４５３Ｇの熱のクロスダイクロイックプリズム４５４への影響を低減させることができる。
【００４０】
〔実施形態の変形〕
なお、本発明は前述の実施形態に限定されるものではなく、本発明の目的を達成できる範囲での変形、改良等は本発明に含まれるものである。
例えば、前記実施形態では、遮熱板４５６の両面に反射防止膜が施されていたが、片面のみに反射防止膜を施してもよく、いずれの面にも反射防止膜を施さなくてもよい。
前記実施形態では、遮熱板４５６は、金属製の第２支持部材４５７と比較して熱伝度率の小さいガラス製とされていたが、他の材質であってもよく、要するに、偏光素子の輻射熱を遮熱することができればよい。
前記実施形態では、光変調装置４５１Ｇ、及び射出側偏光板４５３Ｇの間には、遮熱板４５６が配設されていたが、遮熱板を配設しなくてもよい。
【００４１】
前記実施形態では、光変調装置用支持部材は、第１支持部材４５５、及び第２支持部材４５７を組み合わせて構成されていたが、１つの部材で構成されていてもよい。要するに、光変調装置用支持部材は、色合成光学装置の光入射側端面に固定され、光変調装置を支持する部材であればよい。
前記実施形態では、第２支持部材４５７、及び各スペーサ４５８は、板状部材４５９を介して光入射側端面４５４Ａに固定されていたが、板状部材４５９を介在配置させることなく、光変調装置用支持部材、及び偏光素子用支持部材を光入射側端面に直接固定してもよい。
【００４２】
前記実施形態では、金属製の第１支持部材４５５、及び第２支持部材４５７と、樹脂製の各スペーサ４５８を採用していたが、光変調装置用支持部材、及び偏光素子用支持部材の材質は他の材質であってもよい。
前記実施形態では、各光変調装置４５１、及び各射出側偏光板４５３のうち、光変調装置４５１Ｇ、及び射出側偏光板４５３Ｇを光入射側端面４５４Ａに固定する際に本発明を適用していたが、他の各光変調装置４５１Ｒ，４５１Ｂ、及び各射出側偏光板４５３Ｒ，４５３Ｂを光入射側端面に固定する際に本発明を適用してもよい。
【００４３】
前記実施形態では、光学装置本体４５Ａは、３つの光変調装置４５１を備えていたが、光変調装置を２つ備える光学装置や、光変調装置を４つ以上備える光学装置として構成してもよい。
前記実施形態では、光学装置本体４５Ａを備えるプロジェクタ１を例示したが、例えば、本発明の光学装置をリアプロジェクタ等の他の光学機器に適用してもよい。
【産業上の利用可能性】
【００４４】
本発明は、光学装置に利用でき、特に、発熱量の大きい偏光素子を備える光学装置に好適に利用できる。
【図面の簡単な説明】
【００４５】
【図１】本発明の一実施形態に係るプロジェクタの概略構成を示す模式図。
【図２】前記実施形態における光学装置本体の概略構成を示す分解斜視図。
【符号の説明】
【００４６】
１…プロジェクタ、３…投射レンズ（投射光学装置）、４１…光源装置、４５…光学装置、４５Ａ…光学装置本体、４５１…光変調装置、４５３…射出側偏光板（偏光素子）、４５４…クロスダイクロイックプリズム（色合成光学装置）、４５４Ａ…光入射側端面、４５５…第１支持部材（光変調装置用支持部材）、４５６…遮熱板、４５７…第２支持部材（光変調装置用支持部材）、４５８…スペーサ（偏光素子用支持部材）、４５９…板状部材。
【図１】
2009210779.tif 000003
【図２】
2009210779.tif 000004